(57)【要約】【課題】再生起動時間を短縮することができるディスク再生装置を提供する。【解決手段】再生履歴データを記憶する再生履歴記憶部１１２と、優先的に再生起動すべきディスクの種別を指示する優先フラグを記憶する優先フラグ記憶部１１１と、外部からの指示に応じて、記憶されている優先フラグで指示された種別のディスクを再生起動する再生起動部１０１と、再生起動されたディスクの再生時に発生する再生エラーを検出する再生エラー検出部１０２と、再生エラーが検出されなかった時に、再生起動部で再生起動されたディスクの種別、再生起動時刻および再生終了時刻を再生履歴データとして再生履歴記憶部に順次格納する記憶制御部１０４と、記憶されている再生履歴データにしたがって次回の再生起動時に再生起動部によって優先的に再生起動されるべきディスクの種別を指示する優先フラグを生成して優先フラグ記憶部に格納するフラグ演算部１０５とを備えている。【選択図】図２
2007242122.tif 000002
【特許請求の範囲】
【請求項１】
再生履歴データを記憶する再生履歴記憶部と、
優先的に再生起動するべきディスクの種別を指示する優先フラグを記憶する優先フラグ記憶部と、
外部からの指示に応じて前記優先フラグ記憶部に記憶されている優先フラグで指示された種別のディスクを再生起動する再生起動部と、
前記再生起動部で再生起動されたディスクの再生時に発生する再生エラーを検出する再生エラー検出部と、
前記再生エラー検出部で再生エラーが検出されなかった時に、前記再生起動部で再生起動されたディスクの種別、再生起動時刻および再生終了時刻を再生履歴データとして前記再生履歴記憶部に順次格納する記憶制御部と、
前記再生履歴記憶部に記憶されている再生履歴データにしたがって次回の再生起動時に前記再生起動部によって優先的に再生起動されるべきディスクの種別を指示する優先フラグを生成して前記優先フラグ記憶部に格納するフラグ演算部
とを備えたディスク再生装置。
【請求項２】
フラグ演算部は、再生履歴記憶部に再生履歴データとして記憶されているディスクの種別毎の起動回数と、再生起動時刻から求められる起動時間帯毎の起動回数と、再生起動時刻および再生終了時刻から求められる再生累計時間とに基づき優先フラグを生成する
ことを特徴とする請求項１記載のディスク再生装置。
【請求項３】
フラグ演算部は、ディスクの種別毎の起動回数の比、起動時間帯毎の起動回数の比および再生累計時間の比に所定の重み付け係数をそれぞれ乗算して重み付けした値をディスクの種別毎に総計して優先度を算出し、該算出した優先度に基づき優先フラグを生成する
ことを特徴とする請求項２記載のディスク再生装置。
【請求項４】
フラグ演算部は、優先度が他のディスクの優先度より所定値以上大きいディスクを次回に優先的に再生起動するべきディスクとする優先フラグを生成する
ことを特徴とする請求項３記載のディスク再生装置。
【請求項５】
ディスクから読み出した信号に基づきディスクを判別するディスク判別部を備え、
再生起動部は、優先フラグ記憶部に優先フラグが記憶されていない場合に、前記ディスク判別部により判別された種別のディスクを再生起動する
ことを特徴とする請求項１記載のディスク再生装置。
【発明の詳細な説明】
【技術分野】
【０００１】
この発明は、複数種類のディスクを再生するディスク再生装置に関し、特に、再生が指示されてから実際に音や映像の出力が開始されるまでの再生起動時間を短縮する技術に関する。
【背景技術】
【０００２】
近年のディスク再生装置、特に、ＤＶＤ（Digital Versatile Disk）やＣＤ（Compact Disc）といった光ディスクを再生する光ディスク再生装置は、基板厚、ピット深さ、記録密度といった物理的特性が異なる複数種類のディスクを再生するために、ディスクの種別を判別するディスク判別を行う必要がある。このようなディスク判別には、フォーカスサーボをかけてディスク判別用信号を取得するための動作を行う等の処理が必要になり、人が感覚的に無視できない長さの再生起動時間（約３〜４秒程度）を要する。この再生起動時間は、ディスク再生装置が再生するディスクの種類が増加するに連れて増大するのは避けられない。したがって、人が感覚的に迅速であると認識できる程度にディスクの再生起動時間を短縮するような技術の開発が望まれていた。
【０００３】
このような要請に応えるために、特許文献１は、装着された光ディスクの種別を判別した後に、さらに光ピックアップを変更するといった無駄時間が生じる回数を少なくし、光ディスクの迅速な再生を可能にする光ディスク装置を開示している。この光ディスク装置においては、ディスク判別を行う前に、コントローラは、フラッシュメモリに記憶されている、過去にＣＤまたはＤＶＤが再生された回数に基づいて、再生される光ディスクの種別を予測して、ＣＤ用光ピックアップまたはＤＶＤ用光ピックアップのいずれを使用するか決定し、この決定した光ピックアップを駆動するようにドライバを制御する。フラッシュメモリへの記憶は、ディスク判別の後に行われる。
【０００４】
【特許文献１】特開２０００−１８７９２７号公報
【発明の開示】
【発明が解決しようとする課題】
【０００５】
上述したように、従来のディスク再生装置では、単に、過去にＣＤまたはＤＶＤが再生された回数に基づき、再生される光ディスクの種別を予測して、使用する光ピックアップを決定するように構成されているので、あるユーザが例えばＣＤを短時間で多数回再生すると、次の再生起動時は、再生累計時間や再生起動の時間帯に拘らず、ＣＤが優先して再生されることになる。その結果、他のユーザが例えばＤＶＤを再生しようとすると、ＤＶＤに対してＣＤに適した再生条件で再生起動が行われるため、再生エラーが発生する。そのため、エラー処理を行った後改めてディスク判別を行う必要が生じ、再生起動時間が長くなるという問題がある。
【０００６】
この発明は、上述した問題を解消するためになされたものであり、その課題は、再生起動時間を短縮することができるディスク再生装置を提供することにある。
【課題を解決するための手段】
【０００７】
この発明に係るディスク再生装置は、上記課題を解決するために、再生履歴データを記憶する再生履歴記憶部と、優先的に再生起動するべきディスクの種別を指示する優先フラグを記憶する優先フラグ記憶部と、外部からの指示に応じて優先フラグ記憶部に記憶されている優先フラグで指示された種別のディスクを再生起動する再生起動部と、再生起動部で再生起動されたディスクの再生時に発生する再生エラーを検出する再生エラー検出部と、再生エラー検出部で再生エラーが検出されなかった時に、再生起動部で再生起動されたディスクの種別、再生起動時刻および再生終了時刻を再生履歴データとして再生履歴記憶部に順次格納する記憶制御部と、再生履歴記憶部に記憶されている再生履歴データにしたがって次回の再生起動時に再生起動部によって優先的に再生起動されるべきディスクの種別を指示する優先フラグを生成して優先フラグ記憶部に格納するフラグ演算部とを備えている。
【発明の効果】
【０００８】
この発明によれば、再生起動が指示された場合に、従来のようにディスク判別用信号を取得する動作を行うことなく、優先フラグ記憶部に記憶されている優先フラグで示されるディスクに対して再生起動を行うように構成したので、再生起動時間を短縮することができる。
【発明を実施するための最良の形態】
【０００９】
以下、この発明の実施の形態を、図面を参照しながら詳細に説明する。
実施の形態１．
図１は、この発明の実施の形態１に係るディスク再生装置の構成を示す図である。このディスク再生装置は、ディスク１、信号処理回路３、第１切替スイッチ４、ＤＶＤ用再生回路５、ＣＤ用再生回路６、第２切替スイッチ７、出力回路８、ディスク判別部９、マイクロコンピュータ（以下、「マイコン」と略する）１０およびメモリ１１から構成されている。このディスク再生装置においては、ディスク１として、基板厚、ピット深さ、記録密度といった物理的特性が異なるＤＶＤおよびＣＤが使用されるものとする。
【００１０】
信号処理回路３は、ディスク１にレーザ光を照射し、その反射光を検出することによりディスク１に記録されている信号を読み取る。この信号処理回路３で読み取られた信号は、信号処理回路３に送られる。信号処理回路３では、フォーカスエラー信号、トラッキングエラー信号等のサーボ制御用信号およびデータ読取用のＲＦ信号が生成され、第１切替スイッチ４を介してＤＶＤ用再生回路５またはＣＤ用再生回路６に送られる。また、信号処理回路３で生成される信号の一部はディスク判別用信号としてディスク判別部９に送られる。ここで、ディスク判別用信号としては、例えばフォーカスエラー信号、トラッキングエラー信号および全光量和信号等が用いられる。
【００１１】
なお、信号処理回路３は、実際には、ＤＶＤ再生に適したレーザダイオード、光学素子および光電変換回路等から構成されるＤＶＤ再生用光ピックアップと、ＣＤ再生に適したレーザダイオード、光学素子および光電変換回路等から構成されるＣＤ再生用光ピックアップとから構成されるが、この実施の形態１に係るディスク再生装置では、信号処理回路３は、ＤＶＤ再生用とＣＤ再生用とが共用されるものとして説明する。
【００１２】
第１切替スイッチ４は、マイコン１０から送られてくる第１切替信号に応じて、信号処理回路３から出力される信号をＤＶＤ用再生回路５またはＣＤ用再生回路６のいずれに送るかを切り替える。ＤＶＤ用再生回路５は、信号処理回路３から第１切替スイッチ４を経由して送られてくる信号に基づき映像信号、音声信号およびデータ信号を再生する。このＤＶＤ用再生回路５は、サーボゲイン、ＲＦゲイン等がＤＶＤ再生に適するように設定されている。ＤＶＤ用再生回路５で再生された映像信号、音声信号およびデータ信号は、再生信号として、第２切替スイッチ７を介して出力回路８に送られる。また、ＤＶＤ用再生回路５で発生したＤＶＤ再生エラー信号はマイコン１０に送られる。
【００１３】
ＣＤ用再生回路６は、信号処理回路３から第１切替スイッチ４を経由して送られてくる信号に基づき映像信号、音声信号およびデータ信号を再生する。このＣＤ用再生回路６は、サーボゲイン、ＲＦゲイン等がＣＤ再生に適するように設定されている。ＣＤ用再生回路６で再生された映像信号、音声信号およびデータ信号は、再生信号として、第２切替スイッチ７を介して出力回路８に送られる。また、ＣＤ用再生回路６で発生されたＣＤ再生エラー信号はマイコン１０に送られる。第２切替スイッチ７は、マイコン１０から送られてくる第２切替信号に応じて、ＤＶＤ用再生回路５またはＣＤ用再生回路６のいずれの出力を出力回路８に送るかを切り替える。
【００１４】
出力回路８は、映像出力回路、音声出力回路およびデータ出力回路（いずれも図示は省略する）を備えており、ＤＶＤ用再生回路５またはＣＤ用再生回路６から送られてきた再生信号（映像信号、音声信号およびデータ信号）を外部に出力する。
【００１５】
ディスク判別部９は、信号処理回路３から送られてきたディスク判別用信号に基づき、装着されているディスク１がＤＶＤであるかＣＤであるかを判別する。より具体的には、ディスク判別部９は、信号処理回路３から送られてくるフォーカスエラー信号、トラッキングエラー信号および全光量和信号等の振幅の大きさを検出し、この検出結果に基づきディスク１がＤＶＤであるかＣＤであるかを判別する。このディスク判別部９における判別結果は、ディスク種別信号としてマイコン１０に送られる。
【００１６】
マイコン１０は、ディスク判別部９から送られてくるディスク種別信号およびメモリ１１に記憶されている優先フラグに基づいて第１切替信号および第２切替信号を生成して第１切替スイッチ４および第２切替スイッチ７の開閉をそれぞれ制御することにより、ＤＶＤ用再生回路５またはＣＤ用再生回路６を起動する。このマイコン１０の動作については後に詳しく説明する。
【００１７】
メモリ１０は、例えばフラッシュメモリから構成されており、図２に示すように、優先フラグを記憶するための優先フラグ記憶部１１１とディスク１の再生履歴データを記憶するための再生履歴記憶部１１２を備えている。このメモリ１１は、マイコン１０によってアクセスされる。なお、メモリ１１としては、フラッシュメモリに限らず、例えばＥＥＰＲＯＭ（電気的に消去可能な読み出し専用メモリ）のような電源を切っても記憶内容を保持する他の不揮発性メモリを用いることができる。また、ＤＲＡＭのように電源を切ると記憶内容が消去される揮発性メモリにバッテリによるバックアップ機能を備えて構成することもできる。
【００１８】
メモリ１１の再生履歴記憶部１１２に記憶される再生履歴データは、例えば図３に示すように、過去に再生されたディスクの種別（「１」はＤＶＤを表し、「０」はＣＤを表す）、再生起動時刻および再生終了時刻から構成されている。また、メモリ１１の優先フラグ記憶部１１１に記憶される優先フラグは、図４に示すように、２ビットのデータから構成されており、「フラグなし」（「００」）はフラグが設定されていない旨を表し、ＣＤフラグ（「０１」）はＣＤの再生を優先すべき旨を表し、ＤＶＤフラグ（「１０」）はＤＶＤの再生を優先すべき旨を表す。
【００１９】
図２は、マイコン１０の詳細な構成を示すブロック図である。マイコン１０は、再生起動部１０１、再生エラー検出部１０２、時計機構１０３、記憶制御部１０４およびフラグ演算部１０５から構成されている。
【００２０】
再生起動部１０１は、外部からの指示に応じて優先フラグ記憶部１１１に記憶されている優先フラグで指示された種別のディスク１を再生起動する。具体的には、ディスク１が装着された時または図示しない再生ボタンが押された時に、優先フラグ記憶部１１１に記憶されている優先フラグが「ＣＤフラグ」であれば、ＣＤ用再生回路６を起動するための第１切替信号および第２切替信号を生成し、第１切替スイッチ４および第２切替スイッチ７にそれぞれ送る。優先フラグが「ＤＶＤフラグ」であれば、ＤＶＤ用再生回路５を起動するための第１切替信号および第２切替信号を生成し、第１切替スイッチ４および第２切替スイッチ７をそれぞれ送る。また、優先フラグが「フラグなし」であれば、ディスク判別部９から送られてくるディスク種別信号に応じて、ＤＶＤ用再生回路５またはＣＤ用再生回路６のいずれかを起動するための第１切替信号および第２切替信号を生成し、第１切替スイッチ４および第２切替スイッチ７にそれぞれ送る。また、再生起動部１０１は、ＤＶＤ用再生回路５またはＣＤ用再生回路６のいずれを起動したかを表すデータを記憶制御部１０４に送る。
【００２１】
再生エラー検出部１０２は、ＤＶＤ用再生回路５に送られてくるＤＶＤ再生エラー信号またはＣＤ用再生回路６から送られてくる再生エラー信号に基づき、再生エラーが連続して所定回数（例えば５回）発生したかどうかを検出する。再生エラーには、フォーカス外れに起因するフォーカスエラー、トラッキング流れに起因するトラッキングエラーおよびディスク回転数異常に起因するディスクモータエラー等が含まれる。この再生エラー検出部１０２における検出結果は、記憶制御部１０４およびフラグ演算部１０５に送られる。時計機構１０３は、時刻を生成する。この時計機構１０３で生成された時刻は、記憶制御部１０４およびフラグ演算部１０５によって参照される。
【００２２】
記憶制御部１０４は、再生エラー検出部１０２で再生エラーが検出されなかった時に、再生起動部１０１で再生起動されたディスク１の種別、再生起動時刻および再生終了時刻を再生履歴データとして再生履歴記憶部１１２に順次格納する。より詳しくは、記憶制御部１０４は、再生起動部１０１から送られてくるデータがＤＶＤ用再生回路５を起動したことを示していれば、種別を「１」にセットし、その時点で時計機構１０３から読み取った時刻を再生起動時刻とする再生履歴データを生成して再生履歴記憶部１１２に追加的に格納する。また、記憶制御部１０４は、ＤＶＤ用再生回路５から第２切替スイッチ７を経由して送られてくる再生信号の送信が停止された場合に、その時点で時計機構１０３から読み取った時刻を再生終了時刻として先に格納した再生履歴データに追加して再生履歴記憶部１２に格納する。
【００２３】
フラグ演算部１０５は、再生履歴記憶部１１２に記憶されている再生履歴データにしたがって次回の再生起動時に再生起動部１０１によって優先的に再生起動されるべきディスクの種別を指示する優先フラグを生成して優先フラグ記憶部１１１に格納する。このフラグ演算部１０５で行われる処理の詳細は後述する。
【００２４】
次に、上記のように構成される、この発明の実施の形態１に係るディスク再生装置の動作を、再生起動処理を中心に、図５および図６に示すフローチャートを参照しながら説明する。
【００２５】
ディスク再生装置にディスク１が装着され、または、図示しない再生ボタンが押されると、再生起動処理が開始される。再生起動処理では、まず、「フラグあり」であるかどうかが調べられる（ステップＳＴ１１）。すなわち、マイコン１０の再生起動部１０１は、メモリ１１の優先フラグ記憶部１１１から優先フラグを読み出し、この読み出した優先フラグが、「フラグなし」以外、つまり「００」以外であかどうかを調べる。このステップＳＴ１１において、「フラグあり」であることが判断されると、次いで、ＤＶＤフラグであるかどうかが調べられる（ステップＳＴ１２）。すなわち、再生起動部１０１は、優先フラグ記憶部１１１から読み出した優先フラグが、「ＤＶＤフラグ」、つまり「１０」であるかどうかを調べる。
【００２６】
このステップＳＴ１２において、ＤＶＤフラグであることが判断されると、ＤＶＤ再生起動が行われる（ステップＳＴ１３）。すなわち、マイコン１０の再生起動部１０１は、第１切替信号を生成して第１切替スイッチ４に送ることにより、該第１切替スイッチ４をＤＶＤ用再生回路５側に切替えるとともに、第１切替信号を生成して第２切替スイッチ７に送ることにより、該第２切替スイッチ７をＤＶＤ用再生回路５側に切替える。これにより、ディスク再生装置は、ＤＶＤ再生に適するように設定されて再生起動が行われる。その後、シーケンスはステップＳＴ１５に進む。
【００２７】
上記ステップＳＴ１２において、ＤＶＤフラグでないことが判断されると、ＣＤフラグであることが認識され、ＣＤ再生起動が行われる（ステップＳＴ１４）。すなわち、マイコン１０の再生起動部１０１は、第１切替信号を生成して第１切替スイッチ４に送ることにより、該第１切替スイッチ４をＣＤ用再生回路６側に切替えるとともに、第１切替信号を生成して第２切替スイッチ７に送ることにより、該第２切替スイッチ７をＣＤ用再生回路６側に切替える。これにより、ディスク再生装置は、ＣＤ再生に適するように設定されて再生起動が行われる。その後、シーケンスはステップＳＴ１５に進む。
【００２８】
ステップＳＴ１５においては、再生エラーが発生したかどうかが調べられる。すなわち、マイコン１０の再生エラー検出部１０２は、ステップＳＴ１３またはステップＳＴ１４で行われた再生起動中に、再生エラーが連続して所定回数（例えば５回）発生したかどうかを調べる。このステップＳＴ１５において、再生エラーが発生したことが判断されると、次いで、再生リトライ処理が行われる（ステップＳＴ１６）。すなわち、マイコン１０の再生起動部１０１は、その時点でＤＶＤ再生起動中であればＣＤ再生起動を行い、ＣＤ再生起動中であればＤＶＤ再生起動を行うような第１切替信号および第２切替信号を生成して第１切替スイッチ４および第２切替スイッチ７にそれぞれ送る。次いで、再生エラーが発生したかどうかが調べられる（ステップＳＴ１７）。このステップＳＴ１７の処理は、上述したステップＳＴ１５の処理と同じである。
【００２９】
このステップＳＴ１７において、再生エラーが発生したことが判断されると、次いで、所定回数（例えば１０回）の再生リトライ処理が完了したかどうかが調べられる（ステップＳＴ１８）。このステップＳＴ１８において、所定回数の再生リトライ処理が完了していないことが判断されると、シーケンスはステップＳＴ１６に戻り、再度、再生リトライ処理が行われる。このステップＳＴ１６およびＳＴ１７の繰り返し実行の過程で、ステップＳＴ１８において、所定回数の再生リトライ処理が完了したことが判断されると、装着されたディスク１は再生不能であると判断され、再生起動は終了する。
【００３０】
上記ステップＳＴ１５またはステップＳＴ１７において、再生エラーが発生しなかったことが判断されると、再生履歴を記憶する処理が行われる（ステップＳＴ１９）。すなわち、マイコン１０の記憶制御部１０４は、再生起動に成功したディスクの種別（ＤＶＤの場合は「１」、ＣＤの場合は「０」）と、その時点の時刻である再生起動時刻とをメモリ１１の再生履歴記憶部１１２に再生履歴データとして格納する。再生起動時刻は、時計機構１０３から取得される。なお、再生終了時刻は、当該再生が終了した時に、時計機構１０３から取得されて追加的に格納される。
【００３１】
次いで、フラグ演算が行われる（ステップＳＴ２０）。すなわち、マイコン１０のフラグ演算部１０５は、メモリ１１の再生履歴記憶部に格納されている再生履歴データを用いて、次回の再生起動時に参照する優先フラグを生成する。具体的には、ディスクの種別毎の起動回数、起動時間帯毎の起動回数および再生累計時間といったパラメータと、各パラメータにあらかじめ付与された重み付け係数とを用いて優先フラグが生成される。優先フラグの生成の具体例を以下に説明する。
【００３２】
［１］ディスクの種別毎の起動回数（重み付け係数：１）
例えば、再生履歴記憶部１１２に記憶されているＤＶＤの再生起動回数が５５回、ＣＤの再生起動回数が３８回である場合：
「５５÷３８≒１．４５」を計算して小数点以下を四捨五入すると「１」になる。このパラメータの重み付け係数は「１」であるから、ＤＶＤの優先度として「１×１＝１」が得られる。
［２］起動時間帯毎の起動回数（重み付け係数：２）
例えば、再生履歴記憶部１１２に記憶されている再生起動時刻のうち、現在時刻の前後６０分以内の再生起動時刻を有するものは、ＤＶＤが１８回、ＣＤが２３回である場合：
「２３÷１８≒１．２８」を計算して小数点以下を四捨五入すると「１」になる。このパラメータの重み付け係数は「２」であるから、ＣＤの優先度として「１×２＝２」が得られる。
［３］再生累計時間（重み付け係数：３）
例えば、再生履歴記憶部１１２に記憶されている再生起動時刻と再生終了時刻とから計算されたＤＶＤおよびＣＤの各再生累計時間は、ＤＶＤが１２８時間３０分、ＣＤが４３０時間３０分（１分未満の端数は切り捨て）である場合：
「４３０．５÷１２８．５≒３．３５」を計算して小数点以下を四捨五入すると「３」になる。このパラメータの重み付け係数は「３」であるから、ＣＤの優先度として「３×３＝９」が得られる。
【００３３】
従って、上記［１］〜［３］のパラメータの優先度をディスクの種別毎に総計すると、ＤＶＤの優先度は「１」、ＣＤの優先度は「１１」になる。ＤＶＤの優先度とＣＤの優先度との差が所定値、例えば「６」以上である場合に、算出された優先度が有意であるとすると、「１１−１＝１０≧６」であるので有意であると判断され、ＣＤ優先フラグが生成される。このステップＳＴ２０で生成された優先フラグはマイコン１０内のＲＡＭ（図示せず）に一時的に保持される。
【００３４】
次いで、優先フラグが発生されたかどうかが調べられる（ステップＳＴ２１）。すなわち、フラグ演算部１０５は、上述したフラグ演算において、優先フラグとしてＤＶＤフラグまたはＣＤフラグが生成されたかどうかを調べる。このステップＳＴ２１において、優先フラグが発生されたことが判断さると、優先フラグが優先フラグ記憶部１１１に格納され（ステップＳＴ２２）、再生起動処理は終了する。一方、ステップＳＴ２１において、優先フラグが発生されなかったことが判断されると、優先フラグが優先フラグ記憶部１１１に格納されることなく再生起動処理は終了する。
【００３５】
上記ステップＳＴ１１において、「フラグあり」でない、つまり「フラグなし」であることが判断されると、次いで、ディスク種別信号が取得される（ステップＳＴ２３）。すなわち、ディスク判別部９は、信号処理回路３からディスク判別用信号を取得し、この取得したディスク判別用信号に基づき、装着されたディスク１がＤＶＤであるかＣＤであるかを表すディスク種別信号を生成してマイコン１０の再生起動部１０１に送る。
【００３６】
次いで、装着されたディスク１がＤＶＤであるかどうかが調べられる（ステップＳＴ２４）。すなわち、マイコン１０の再生起動部１０１は、ディスク判別部９から送られてくるディスク種別信号に基づき、装着されたディスク１がＤＶＤであるかどうかを調べる。このステップＳＴ２４において、ＤＶＤであることが判断されると、ＤＶＤ再生起動が行われる（ステップＳＴ１３）。その後、シーケンスはステップＳＴ１５に進む。一方、ステップＳＴ２４において、ＤＶＤでないことが判断されると、ＣＤであることが認識され、ＣＤ再生起動が行われる（ステップＳＴ２６）。その後、シーケンスはステップＳＴ１５に進む。
【００３７】
以上説明したように、この発明の実施の形態１に係るディスク再生装置によれば、過去の再生履歴によりＤＶＤまたはＣＤのいずれを優先的に再生するかを表す優先フラグを生成してメモリ１１に記憶しておき、次回の起動時におけるディスク判別に利用するよう構成したので、通常のディスク判別動作を行って再生起動を行う場合に比べて再生起動時間を大幅に短縮することができる。
【００３８】
また、ディスクの種別毎の起動回数、起動時間帯毎の起動回数および再生累計時間といった複数のパラメータを重み付けして演算することにより優先フラグを生成するよう構成したので、優先フラグにしたがって次に再生されるディスクが正しくなる確率を増大させることができる。
【００３９】
さらに、優先フラグが存在しない場合は、従来から行われている通常の再生起動を行うように構成したので、単に再生履歴に基づいて次に再生されるディスクを予想し再生起動を行う場合に比べて、再生リトライ処理を必要以上に繰り返して通常の再生起動よりも再生起動時間が長くなるという確率を小さくすることができる。
【００４０】
なお、上述した実施の形態１では、判別の対象とするディスクの種別をＤＶＤとＣＤの２種類としたが、必ずしもこれに限定されるものではなく、例えば、ＤＶＤ高反射率ディスク、ＤＶＤ低反射率ディスク、ＣＤ高反射率ディスクおよびＣＤ低反射率ディスクを判別して、ステップＳＴ１３、ＳＴ１４、ＳＴ２５またはＳＴ２６において、より適切な再生のための設定を行うように構成することができる。
【００４１】
また、実施の形態１では、ステップＳＴ１１において優先フラグが存在することが確認された場合には、ステップＳＴ１５において再生エラーが５回連続して発生した場合にステップＳＴ１６の再生リトライ処理に移行し、ステップＳＴ１１において優先フラグが存在しないことが確認された場合にも、ステップＳＴ１５において再生エラーが５回連続して発生した場合にステップＳＴ１６の再生リトライ処理に移行するように構成したが、この回数を優先フラグの有無によって変更するように構成することができる。例えば、ステップＳＴ１１において優先フラグが存在することが確認された場合には、ステップＳＴ１５において再生エラーが２回連続して発生した場合にステップＳＴ１６の再生リトライ処理に移行し、ステップＳＴ１１において優先フラグが存在しないことが確認された場合には、ステップＳＴ１５において再生エラーが５回連続して発生した場合にステップＳＴ１６の再生リトライ処理に移行する。このように、優先フラグに従って再生起動を行っているときに再生リトライ処理に移行しやすく設定することにより、優先フラグによるディスク種別の設定が間違っていた場合であっても、比較的速やかに再生リトライを行って再生起動を完了させることができる。
【００４２】
さらに、実施の形態１では、ステップＳＴ１１において、常に優先フラグの有無を確認するように構成したが、ディスク１がディスク再生装置から排出されないで次回の再生起動に移行した場合（所謂レジューム再生時）には、優先フラグの有無を確認せずに、前回の再生起動の設定をそのまま踏襲して再生起動を行うように構成することもできる。
【００４３】
また、この優先フラグをディスク判別に用いるかどうかを使用者に選択させるよう構成することもできる。加えて、優先フラグ生成時の各パラメータに対する重み付けを使用者に設定させるよう構成することもできる。
【００４４】
また、再生履歴記憶部１１２に記憶する再生履歴の数を例えば２００に限定し、再生履歴の数が２０１以上になった場合には古いものから順に上書きするよう構成することができる。この場合、再生履歴記憶部１１２の記憶容量を小さく抑えることができる。
【００４５】
さらに、ディスク再生装置を使用するユーザを入力する入力部を備え、ユーザ毎に再生起動すべきディスクを判定するように構成することもできる。この場合、ユーザ毎に再生履歴データをメモリ１１に保存しておき、再生起動時は、その再生履歴データを参照して再生するディスクの種別を判定するように構成できる。また、メモリ１１の再生履歴データにユーザのコードを付して格納しておき、再生起動時は、その再生履歴データをユーザ毎に参照して再生するディスクの種別を判定するように構成できる。
【図面の簡単な説明】
【００４６】
【図１】この発明の実施の形態１に係るディスク再生装置の構成を示す図である。
【図２】この発明の実施の形態１に係るディスク再生装置で使用されるマイコンの詳細な構成を示すブロック図である。
【図３】この発明の実施の形態１に係るディスク再生装置で使用される再生履歴記憶部に格納される再生履歴データの例を示す図である。
【図４】この発明の実施の形態１に係るディスク再生装置で使用される優先フラグ記憶部に格納される優先フラグの例を示す図である。
【図５】この発明の実施の形態１に係るディスク再生装置の再生起動処理を示すフローチャート（その１）である。
【図６】この発明の実施の形態１に係るディスク再生装置の再生起動処理を示すフローチャート（その２）である。
【符号の説明】
【００４７】
１  ディスク、２  光ピックアップ、３  信号処理回路、４  第１切替スイッチ、５  ＤＶＤ用再生回路、６  ＣＤ用再生回路、７  第２切替スイッチ、８  出力回路、９  ディスク判別部、１０  マイコン、１１  メモリ、１０１  再生起動部、１０２  再生エラー検出部、１０３  時計機構、１０４  記憶制御部、１０５  フラグ演算部、１１１  優先フラグ記憶部、１１２  再生履歴記憶部。
【図１】
2007242122.tif 000003
【図２】
2007242122.tif 000004
【図３】
2007242122.tif 000005
【図４】
2007242122.tif 000006
【図５】
2007242122.tif 000007
【図６】
2007242122.tif 000008